(57)【要約】【解決手段】本発明は、ポールハンドル（１）に固定される手保持デバイス（７０）であって、手のための挿入開口部（７１）、手の甲のための第１の出口開口部（７２）、及び親指のための第２の出口開口部（７３）を備える手保持デバイス（７０）に関する。本発明による手保持デバイスは、さらに親指と他の指との間に導かれ、その上に連結要素（７９）が設けられる第１の弾性ストリップ（７４）を有し、連結要素（７９）は着脱可能な機構で自動ロック式でポールハンドル内又はポールハンドル上に固定され得る。本発明はさらに、本発明によるハンドストラップが最適なように固定可能なポールハンドルに関する。【選択図】図７
2017537231.tif 000002
【特許請求の範囲】
【請求項１】
ポールハンドル（１）、好ましくは請求項８〜１４のうちいずれかに記載のポールハンドル（１）、への、特にスキーポール、ノルディックウォーキングポール、クロスカントリーポール、又はハイキングポールのために好ましい方法での、締着のための手保持デバイス（７０）であって、前記手保持デバイスは、手のための挿入開口部（７１）、手の甲のための第１の出口開口部（７２）、及び親指のための第２の出口開口部（７３）を備え、前記手保持デバイス（７０）は、さらに、親指と他の指との間にガイドされる第１のストリップ（７４）を備え、該第１のストリップ（７４）には、該ポールハンドル（１）内の、及び／又は該ポールハンドル（１）上の解放可能機構に自動ロック式で締着できる連結要素（７９）が設けられ、前記第１のストリップは、少なくとも、前記連結要素（７９）の外側の手の面側における領域（７４ａ）が弾性であるように実現されることを特徴とする、手保持デバイス（７０）。
【請求項２】
前記第１のストリップ（７４）は、前記手保持デバイスに締着され、手の外面の側の第１の領域（７４ａ）においては弾性又は可撓性の材料、好ましくはゴム弾性の材料から形成され、手の内面の側（７４b）においては非弾性の材料から形成されるストリップであることを特徴とする、請求項１に記載の手保持デバイス（７０）。
【請求項３】
前記第１のストリップ（７４）は、手の外面の側における前記手保持デバイス（７０）の領域（７６）と、手の内面の側における前記手保持デバイス（７０）の領域（７７）とを接続し、前記第１のストリップ（７４）の第１の端部及び前記第１のストリップ（７４）の第２の端部において前記手保持デバイス（７０）に締着され、好ましくは縫い付けられ、その第１の端部の手の外面の側における前記手保持デバイス（７０）の前記領域（７６）のその締着部（６６）と、その第２の端部の手の内面の側における前記手保持デバイス（７０）の前記領域のその締着部との間の領域（８７）にある前記第１のストリップ（７４）は、好ましくは、前記手保持デバイス（７０）に、好ましくは少なくとも前記連結要素（７９）の領域（８７）には締着されず、さらに好ましくは、前記手保持デバイス（７０）は、前記親指と前記他の指の間において、手の外面の側における前記手保持デバイスの領域（７６）と手の内面の側における前記手保持デバイスの領域（７７）とを、好ましくは一体的に接続する第２のストリップ（７５）を備え、前記第１のストリップ（７４）は第２のストリップ（７５）に重なり合うことにより、空間（７８）を形成することを特徴とする、請求項１又は２に記載の手保持デバイス。
【請求項４】
手の外面の側における前記手保持デバイス（７０）の領域（７６）において、前記手保持デバイス（７０）は少なくとも部分的に多層で実現され、前記第１のストリップ（７４）は、手の外面の側におけるその第１の端部において前記手保持デバイス（７０）に、好ましくは第１の材料層と第２の材料層との間において、締着、好ましくは、縫い付けられることを特徴とする、請求項１〜３のいずれかに記載の手保持デバイス（７０）。
【請求項５】
前記第１のストリップは、手の外面の側における前記手保持デバイス（７０）の前記領域（７６）において手のための前記挿入開口部（７１）の付近に、好ましくは手のための前記挿入開口部（７１）から０．５〜５ｃｍの最大距離で、好ましくは、０．５〜３ｃｍの最大距離で締着され、及び／又は、前記第１のストリップは、手の内面の側におけるその第２の端部において前記手保持デバイス（７０）に締着、好ましくは、縫い付けられることを特徴とする、請求項１〜４のいずれかに記載の手保持デバイス（７０）。
【請求項６】
前記連結要素（７９）は、鋸歯状剛性要素、フック状デバイス、又は、好ましくは可撓性ストラップ若しくは鳩目として実現され、前記連結要素（７９）は、特に好ましくは、可撓性のストラップ又は鳩目として実現され、低伸縮性で、適用可能な場合編組された材料から、又は、編まれた若しくはコーティングされたワイヤ状材料から本質的に製造されることを特徴とする、請求項１〜５のいずれかに記載の手保持デバイス。
【請求項７】
前記手保持デバイス（７０）は、前記挿入開口部（７１）と前記第１の出口開口部（７２）との間の領域において、可変であるように固定可能な第１の締着デバイス（８２）を備えることを特徴とする、請求項１〜６のいずれかに記載の手保持デバイス（７０）。
【請求項８】
ポール、特にスキーポール、ノルディックウォーキングポール、クロスカントリーポール、又はハイキングポールのために好ましいポールハンドル（１）であって、前記ポールハンドルは、ハンドル本体（３）と、特にハンドストラップ又はグローブの形態の、手保持デバイス（７０）の締着のための、特に請求項１〜７のいずれかに記載の手保持デバイスの締着のために好ましい、フック状デバイス（１４）を有するハンドル頭部（２）とを備え、前記フック状デバイス（１４）は、別個のロックモジュール（６）に締着されるか、又はその一部を成し、前記ロックモジュール（６）は、片方の手の側（Ｈ）から及び／又は上方からアクセス可能である凹み（４）、特に、軸方向に上方からアクセス可能な前記ハンドル頭部（２）の凹み（４）に挿入可能であり、前記ハンドル頭部（２）内及び／又は前記ハンドル頭部（２）上に締着可能であり、前記ロックモジュール（６）内及び／又は前記ロックモジュール（６）上で変位可能又は回転可能なロック手段（１０、１１）が上方から前記フック状デバイス（１４）内に本質的に押し込まれ、前記手保持デバイス（７０）上に設けられるストラップ形状、リング形状、又は鳩目形状のデバイス（７９）が、前記フック状デバイス（１４）内又は前記ロックモジュール（６）に固定されるように、配置されることを特徴とする、ポールハンドル（１）。
【請求項９】
前記ロックモジュール（６）は、前記ポールハンドル（１）の長手軸（５６）を横切るように配置された少なくとも１つの第１のクロスピン（４５）によって、好ましくは追加で第２のクロスピン（４６）によって、前記ハンドル頭部（２）に締着され、好ましくは、前記クロスピン（４５、４６）のうち少なくとも１つは、同時に、前記ハンドル頭部（２）にカバー（１２）を締着するのに役立つことを特徴とする、請求項８に記載のポールハンドル（１）。
【請求項１０】
前記ロックモジュール（６）は、変位可能及び／又は回転可能であるように取り付けられる掛止ブロック（２０）を備え、その上又は中に掛止手段（１０、１１）が配置されることを特徴とし、好ましくは、前記ロックモジュール（６）は、前記掛止ブロック（２０）に締着され、外側から自動ロックを解除することによってばね力に抗して傾斜できる作動要素（９、３７）をさらに備える、請求項８又は９に記載のポールハンドル（１）。
【請求項１１】
前記作動要素（９）は、前記ハンドル頭部（２）の上部表面（６７）及び／又は前記手保持デバイス（７０）に向けられた手の側（Ｈ）において輪郭を成すように少なくとも部分的に展開され、前記ハンドル頭部（２）の前記上部表面（６７）における前記作動要素（９）の上部表面（６８）は、静止位置において、さらに好ましくは前記作動要素（９）の作動運動中においても、前記ハンドル頭部（２）の外側輪郭に少なくとも部分的に、又は特に、ほぼ完全に統合されており、前記ハンドル頭部（２）の前記外側輪郭は、前記ハンドル頭部（２）の先端（６５）から前記ハンドル頭部（２）と前記ハンドル本体（３）との間の前記ハンドル頭部（２）の手の側（Ｈ）における境界（６９）まで実質的に半円状又は弓状に延在することを特徴とする、請求項８〜１０のいずれかに記載のポールハンドル（１）。
【請求項１２】
前記ロックモジュール（６）が前記ハンドル本体（３）の空洞（５）内に配置された軸方向渦巻きばね（２８）を有し、緊急解除のために下方に張力がかけられ、その張力は、好ましくは調節ナット（３０）によって調節することができることを特徴とする、請求項８〜１１のいずれかに記載のポールハンドル（１）。
【請求項１３】
前記掛止手段は、保持突起（１１）の形態で実現され、前記保持突起（１１）は、好ましくは、挿入方向上方に傾斜した側面を有し、前記フック状デバイス（１４）に対して下方に張力がかけられる位置においては、力に対して制限される、好ましくは調節可能である前記ストラップ形状、リング形状、又は鳩目形状のデバイス（３３）のための領域（５９）を画定し、好ましくは、前記保持突起（１１）は変位可能であるように取り付けられ、変位により、規定された、好ましくは調節可能な力に対して前記制限された領域（５９）の上方への解放が可能であり、好ましくは、前記力は、ばね（３５）又は弾性要素によって確保されることを特徴とする、請求項８〜１２のいずれかに記載のポールハンドル（１）。
【請求項１４】
前記ロックモジュール（６）は、前記フック状デバイス（１４）が配置された固定要素（１５）と、前記掛止手段（１０、１１）が配置され、アンカー要素（５７）によって前記ポールハンドル（１）の前記長手軸（５６）の方向下方へ前記ハンドル本体（３）に取り付けられた掛止ブロック（２０）とを備え、自動ロックの解放のために実現される回転可能及び／又は傾斜可能な作動要素（９）を備え、前記掛止ブロック（２０）及び前記作動要素（９）は、前記固定要素（１５）によって周りが係合され、かつ／又は少なくとも部分的に前記固定要素（５）に受容されることを特徴とする、請求項８〜１３のいずれかに記載のポールハンドル（１）。
【請求項１５】
請求項１〜７のいずれかに記載の手保持デバイス（７０）を有する請求項８〜１４のいずれかに記載のポールハンドル（１）、特に、請求項８〜１４のいずれかに記載のポールハンドル（１）を有し、好ましくは前記ポールハンドル（１）に締着可能である請求項１〜７のいずれかに記載の手保持デバイス（７０）を有する、スキーポール、ノルディックウォーキングポール、クロスカントリーポール、若しくはハイキングポール。
【発明の詳細な説明】
【技術分野】
【０００１】
本発明は、連結要素を有する手保持デバイスと、特に、スキーポール、ノルディックウォーキングポール、クロスカントリーポール、又はハイキングポールのための、このような手保持デバイスの自動ロック式締着のためのフック状デバイスを有するポールハンドルとに関する。
【背景技術】
【０００２】
先行技術、例えば、ドイツ国実用新案第２９９  ０６  ６１２号は、ポール長手軸を横切る方向に使用者によって握られるポールハンドル、又はドイツ国特許出願公開第１０  ２００６  ００８  ０６６号による上方から握られることにのみ適したポメルを有するポールハンドルを開示する。
【０００３】
欧州特許第２１６８６４１号は、両方のやり方で握られるのに好適な人間工学的ポールハンドルについて記述している。当該ポールハンドルは、使用者が、スキーポールをポール長手軸に対して実質的に横切る方向から握る既知の手の位置においてだけではなく、さらに上方からの力の作用による支持又は押しやることについても扱いやすく人間工学的な方法でこれを使用することを可能にし、これは、とりわけ、例えば傾斜した地面の場合に有用である。これに記述されたポールハンドルは、それ自体が従来のものであるハンドストラップの調節可能な締着のためのデバイスを備える。この目的を達成するために、後側ポールハンドル領域には、ハンドル頭部は、手保持デバイス又は手保持デバイスに接続されたクランプ要素を受容する凹みを備える。この場合、デバイスは、軸を中心に回転可能及び／又は旋回可能な偏心要素を備える。したがって、偏心要素の上部表面と、静止当接部又はそこに締着されたハンドストラップ若しくはクランプ要素との間の締着領域にガイドされる締着手段は、ロック回転方向における偏心要素の回転又は旋回の結果、偏心要素と当接部との間に挟持される。この偏心要素は、手保持デバイスを挟持するレバー又はヒンジ付きハンドルにより回転可能又は旋回可能である。ハンドストラップの長さは、ここでは調整可能であるように保持されるが、ハンドストラップはポールハンドルにしっかりと締着される。
【発明の概要】
【課題を解決するための手段】
【０００４】
本発明は、ここで適用される。したがって、本発明の目的は、先行技術に比べて改善されたポールハンドルのための手保持デバイスを提供することである。これは、特に、ウォーキングポール、トレッキングポール、高山用ポール、クロスカントリーポール、及びノルディックウォーキングポール用のポールハンドル、特に上方から握られるのに適したドーム形ハンドル頭部を有するポールハンドルに連結するための手保持デバイスを改善することを含む。さらなる目的は、とりわけ、必ずしも必要ではないが、このような手保持デバイスを用いて使用できるポールハンドルを提供することである。
【０００５】
本目的は、とりわけ、請求項１〜７のいずれかに記載の手保持デバイスにより達成される。本発明に係る手保持デバイスは、ポールハンドルへの締着、好ましくは、例えば、欧州特許第２１６８６４１号に記載されるような、スキーポール、ノルディックウォーキングポール、クロスカントリーポール、又はハイキングポールのために特に好ましい、請求項８〜１４のいずれかに記載のポールハンドルへの締着に役立つ。本発明に係る手保持デバイスは、下でさらに記述される請求項８〜１４のいずれかに記載のポールハンドルへの締着に特に好適であるが、下で記述されるポールハンドルとは独立してそれ自体が発明であり、結果として、さまざまに開発されたポールハンドルへの締着に使用することもできる。国際公開第２００６／０６６４２３号及び国際公開第２００６／０６６４２４号は、ポールハンドル又は自動ロック式機構を有するポールハンドルへの連結に好適な手保持デバイスを開示する。まず第一に、これは、例えば欧州特許第２１６８６４１号に記載されるような、上方及び側方の両方から握ることができるポールハンドルにこのような連結機構を利用することが可能でないと思われるが、これは保持マンドレルと手保持デバイスとの間の連結要素により画定される短い距離によって使用者は上方からポメルを握ることができないからである。しかしながら、ここで提案される手保持デバイス又はここで提案されるポールハンドルは、対応する適合を含み、驚くほど実用的かつ効率的な方法でこのことを可能にする。
【０００６】
手保持デバイスは、手のための挿入開口部と、手の甲のための第１の出口開口部と、親指のための第２の出口開口部とを備え、さらに、親指と他の指との間にガイドされる第１のストリップを備え、第１のストリップには、ポールハンドル内の、及び／又はポールハンドル上の解放可能機構に自動ロック式で締着できる連結要素が設けられる。本発明の核心は、第１のストリップが、少なくとも部分的に弾性であるように実現されることである。連結要素が締着される第１のストリップの弾性によって、使用者は、ポールハンドルに手保持デバイスが締着されている状態でさえポールのハンドル頭部を上方から握ることができる、すなわち、地形又は歩行移動が何を必要とするかに応じて、ハンドル本体を側方から握る位置から、ハンドル頭部穴を上方及び後部から握る位置へと変えることができる。第１のストリップは、好ましくは、手の外面の側における手保持デバイスの領域、すなわち、手の上部表面の側における連結要素から延在する領域が弾性である。対照的に、連結要素から手の内面の側における手保持デバイスの領域まで延在する第１のストリップの領域が、非弾性であるように、例えば、第１のストリップの当該非弾性領域を形成するか、又は手の内面の側における領域で第１のストリップに縫い付けられる単層若しくは多層ベルトの形態で実現される場合が好ましい。手を引っ張ると、ハンドストラップに、特に手の内面の側におけるハンドストラップの領域でのひずみは下方に向かい、手を動かすと、特に手の外面の側の領域においてひずみは上方に向かう。結果として、手を下方に動かすと、第１のストリップの長さは大きくならないか又はほとんど大きくならないのに対し、手を上方に動かす（例えば、ハンドル頭部の周りを上方からから握った場合）と、第１のストリップの長さは、ハンドル頭部を上方から快適に握ることができるようにかなり大きくなることが望ましい。
【０００７】
１０Ｎの力が印加されると、長さ５ｃｍのストリップは、当該力では、少なくとも３ｍｍ、好ましくは、少なくとも５ｍｍ、１０ｍｍ、又はさらには１５ｍｍ、又は２０ｍｍの長さの変化を受ける場合に弾性であると明示される。これとは対照的に、当該発明の文脈において「非弾性」とは、前述の１０Ｎの力が同じ長さのストリップに印加されたとき、３ｍｍ未満、好ましくは２ｍｍ未満、特に好ましくは１ｍｍ又は０．５ｍｍ未満の伸びが生じることを意味する。
【０００８】
好ましい実施形態によると、手保持デバイスは、親指と他の指の間、すなわち、手の甲のための第１の出口開口部と親指のための第２の出口開口部との間において、手の外面の側における手保持デバイスの領域と手の内面の側における手保持デバイスの領域とを、好ましくは一体的に接続する第２のストリップを備える。この場合、第１のストリップが第２のストリップに重なり合うことによって空間が形成される。当該間隙又は分離は、ハンドル頭部が上方から握られたときに、ハンドストラップが手に正常に適合したままである一方、これとは独立して、第１のストリップの長さがその弾性の結果伸びることができ、結果的に、連結要素と手との距離が大きくなることができるために必要である。ストリップは両方とも、ハンドルの頭部を握ることができるように、締着要素の下の領域に緩やかに配置される。第２のストリップのその後の延伸の際、第２のストリップは、目的とされる応力の方向における張力を吸収することができるように、手の内表面の側において手保持デバイスに締着される。
【０００９】
さらなる好ましい実施形態によると、第２のストリップは、手の外面の側における領域で多層であり、すなわち、少なくとも２つの好ましくは非弾性材料層から実現され、第１の弾性ストリップは、手の外面の側における第２のストリップのこのような２つの材料層間の領域に延在する。その結果、第１の弾性ストリップは、好ましくは手の外面の側における領域の、第２のストリップから形成されるトンネル又はチャネルを通ってある程度ガイドされる。この場合、非延伸状態の第１の弾性ストリップがトンネルから突出していないか、又はわずかしか突出しないことと、使用者の手がポールハンドルを上方から握る場合にのみトンネルから突出する、すなわち、第１の弾性ストリップが作用を受けるか又は延伸していることが有利であり得る。
【００１０】
この場合、手保持デバイスは、ハンドストラップとして、又はグローブの形態で実現され得る。グローブの場合、連結要素は、ストリップ又はグローブ部分と重なり合い、親指と人差し指の間を進む第１のストリップに配置される。この場合、親指と人差し指の間を進み、グローブの一部を成すストリップは第２のストリップとして理解されるべきである。
【００１１】
第１のストリップは、好ましくは、手保持デバイスに締着され、弾性又は可撓性の、好ましくはゴム弾性材料製の第１の領域に少なくとも形成されるストリップである。例えば、弾性ストリップの第１の弾性領域は、弾性バンド若しくはゴムバンド又は弾性及び非弾性の領域及び／又は構成要素を有する不織布状織物材料から形成することができる。第１の弾性領域は、好ましくは、手の外面の側における領域に配置される。第１のストリップ全体が弾性バンドから実現されることもまた考えられるが、非弾性領域、例えば、手の内面の側におけるハンドストラップの領域の場合には、弾性バンドが当該非弾性領域において非弾性ベルトに縫い付けられる。
【００１２】
特に有利な実施形態において、第１のストリップは、手の外面の側における手保持デバイスの領域を手の内面の側における手保持デバイスの領域と接続するか、又は第２のストリップに加えて当該２つの領域間にさらなる接続を提供する。第１のストリップは、好ましくは縫い付けの結果として、手の外面の側におけるその第１の端部と、手の内面の側におけるその第２の端部とにおいて手保持デバイスに締着される。
【００１３】
この場合、手保持デバイスが部分的に、手の外面の側における領域が多層で実現される場合が特に好ましい。このような場合、第１のストリップは、好ましくは手の外面の側におけるその第１の端部においてそして第１の材料層と第２の材料層との間において手保持デバイスに締着、好ましくは、縫い付けられ、これは、手の上部表面又は手の外面における手のための挿入開口部を向く。この場合、シームは、手保持デバイスの材料層すべてを通って飛び出ることができる。この場合、手の外面の側における手保持デバイスの領域がスロット又は挿入開口部を備え、そのスロット又は挿入開口部を通って、第１のストリップ又は第１のストリップの弾性領域が、２つの材料層間の「トンネル」にあるかのように、進入し、その締着部までガイドされ得る場合、有利である。連結要素からスロット又は挿入開口部に入る第１のストリップの進入部までを測った、トンネル外部に配置された第１のストリップの弾性領域の部分は、好ましくは、手の外面の側における手保持デバイスの領域の上部材料層の下を進むトンネル状部分よりも小さい。
【００１４】
第１のストリップ、又は手の外面の側におけるその端部が、手の外面の側における手保持デバイスの領域にある手のための挿入開口部の近くに締着される場合特に有利である。その結果、第１のストリップの弾性領域の長さは最大になり、したがって、ハンドル頭部を上方から握る最大位置は、弾性ストリップの弾性復元力が不快だと感じられることなく、又は復元力が使用者の手を、側方から握る位置へと戻すように引っ張ることなく、可能になる。この場合、締着部又はシームと、手のための挿入開口部に隣接する手保持デバイスの縁部との間の距離は、最大０．５〜５ｃｍ、好ましくは最大０．５〜３ｃｍである。特に、当該締着部は、当該手のための挿入開口部から１．５〜２．５ｃｍの距離である。連結要素と手の外面の側における領域の第１のストリップの締着部との間の距離は、好ましくは、連結要素と手の内面の側における手保持デバイスの領域の第１のストリップの締着部との間の距離よりも大きい。
【００１５】
手の外面の側におけるその第１の端部の手の外面の側における手保持デバイスの領域のその締着部と、手の内面の側におけるその第２の端部の手の内面の側における手保持デバイスの領域のその締着部との間の領域にある第１のストリップは、好ましくは、手保持デバイスに、好ましくは少なくとも連結要素の領域又はその付近には締着されない。その結果、第１のストリップは、第２のストリップと重なり合い、手の内面の側における領域を手の外面の側における手保持デバイスの領域と一体的に接続することにより空間を形成する領域で、手保持デバイスの本体から突出している。第２のストリップが、手の外面の側における領域で多層で実現され、かつ、第１の弾性ストリップが、第２のストリップのこのような２つの材料層間の手の外面の側における領域に延在するさらに上述された実施形態において、当該空間は、最小に限定され得、すなわち、第１のストリップと第２のストリップとが互いに、おそらくは複数領域の当該重なり合う領域で接触するが、少なくとも当該重なり合う領域では接続されていないか、又は当該重なり合う領域で２つの別個の要素として実現されるか、又は互いに対して変位可能である。
【００１６】
連結要素は、例えば、鋸歯状剛性要素として、フック状デバイス、又は好ましくは可撓性のストラップ形状／リング形状又は鳩目形状のデバイスとして実現され得、連結要素は、特に好ましくは、可撓性のストラップ又は鳩目として実現され、また低伸縮性で、適用可能な場合編組された材料から、又は編まれた若しくはコーティングされたワイヤ状材料から本質的に製造される。ストラップ又は鳩目は、好ましくは、固有の剛性を有するケーブル又はスターラップ又は可撓性プラスチック材料コードからなる。ストラップ又は鳩目の場合、手保持デバイスは、ハンドストラップが連結可能なフック状デバイスを備えるため、請求項８〜１４のうちいずれか一項に記載のポールハンドルへの締着に特に好適である。
【００１７】
手保持デバイスは、好ましくは、手のための挿入開口部と手の甲のための第１の出口開口部との間の領域に、例えば２つの相補的なベルクロ領域によって可変であるように固定可能な第１の締着デバイスを備える。
【００１８】
また、さらに、本発明の目的は、手保持デバイスの締着のためのフック状デバイスを有する改善されたポールハンドルを提供することである。当該目的は、特に、請求項８〜１４のうちいずれか一項に記載のポールハンドルにより達成される。本発明によるポールハンドルは、ポール、特に好ましくはスキーポール、ノルディックウォーキングポール、クロスカントリーポール、又はハイキングポールに好適であり、ハンドル本体と、特にハンドストラップ又はグローブの形態の手保持デバイスの締着のための、特に請求項１〜７のうちいずれか一項に記載の手保持デバイスの締着のための、フック状デバイスを有するハンドル頭部とを備える。本発明に係るポールハンドルは、上記手保持デバイスからは独立してそれ自体が発明である。本発明に係るポールハンドルは、本発明に係るハンドストラップと組み合わせて使用することができるが、ストラップ形状又は鳩目形状のデバイスを有するその他の手保持デバイスも当該ポールハンドルに連結できる。ハンドル頭部は、好ましくは、上部ハンドル本体領域に一体成形されるが、ポールチューブの中央凹みを形成するチューブに一体成形されても、又は上部ハンドル本体領域若しくはチューブに嵌め込まれても、又はチューブ内に挿入されてもよい。この場合、フック状デバイスは、別個のロックモジュールに締着されるか、又はその一部を成す。ロックモジュールは、片方の手の側から及び／又は上方からアクセス可能である凹み、特に、軸方向において上方からアクセス可能なハンドル頭部の凹みに挿入可能であり、ハンドル頭部内及び／又はハンドル頭部上に締着可能である。ストラップ形状、リング形状、又は鳩目形状のデバイスとして実現される連結要素が、上方からフック状デバイス内に本質的に押し込まれ、手保持デバイス上に設けられ、フック状デバイス内又はフック状デバイス上に、及びロックモジュールに自動ロック式で固定されるように、回転可能な又は変位可能なロック手段はロックモジュール内及び／又はロックモジュール上に配置される。
【００１９】
ロックモジュールは、好ましくは、ポールハンドルの長手軸を横切るように配置された少なくとも１つの第１のクロスピンによってハンドル頭部に締着される。好ましい実施形態によると、ロックモジュールは、第２のクロスピンによってハンドル頭部にさらに締着される。ハンドル頭部がカバーを備える場合、クロスピンのうち少なくとも１つは好ましくは、同時に、後述のようにハンドル頭部にカバーを締着するのに役立つ。
【００２０】
次の好ましい実施形態によると、ハンドル頭部は、その上部表面に配置され、特に好ましい実施形態によると凸状に実現されるカバーを備え、補強のために、可能な支柱及び／若しくは肩部ならびに／又はさらなる補強及び／若しくはガイド構造を備えることができる。カバーは好ましくは、着脱可能であるように実現される。この目的を達成するために、カバーは、例えば、掛止突起を備えることができる。掛止突起は、頭部領域の内部へと突出し、そこで、この目的のために設けられた構造に自動ロック式で固定可能である。これに代えて、ハンドル頭部は、カバーが取り付けられているときにカバーの切り込み部分に留まるか又は掛止できる掛止突起を備えることもできる。その後部端部が走行方向と反対の方向を向くカバーは、好ましくは、静止位置においてポールハンドルの長手軸又はポール長手軸に実質的に平行に延在する２つの脚部を備える。当該脚部は、それぞれ凹みを備えることができる。第２のクロスピン又は軸方向ピンは、この凹みを通って、ポール長手軸及び走行方向を横切って、好ましくは、ハンドル頭部の横断軸に平行にガイドされ得る。この場合、脚部の２つの凹みは、好ましくは、ハンドル頭部の２つの凹みと位置合わせされる。カバーは、頭部領域に締着することができ、同時に、ロックモジュールは、第２の、実質的に水平に配置されたクロスピンによって、ハンドストラップの締着のためにハンドル頭部に締着することもできる。この場合、第２のクロスピンは、好ましくは、ポール長手軸を横切って、かつ走行方向及びカバーの２つの脚部を横切ってハンドル頭部を貫通する。ロックモジュールは、好ましくは、変位可能及び／又は回転可能であるように取り付けられる掛止ブロックを備え、その上又は中に掛止手段が配置される。
【００２１】
特に好ましい実施形態について言えば、ロックモジュールは、掛止ブロックに締着され、ばね力に抗して外側から傾斜されて自動ロックを解除できる作動要素をさらに備える。
【００２２】
作動要素又はその解放ボタンは、好ましくはハンドル頭部の上部表面及び／又は手保持デバイスに向けられた手の側においてその上部表面を有する輪郭を成すように少なくとも部分的に展開される。静止位置において、ハンドル頭部の上部表面における作動要素の上部表面は、少なくとも部分的に、又は特にほぼ完全にハンドル頭部の外側輪郭に統合されており、これは、作動要素又は解放ボタンの作動運動中もそのままである。この場合、ハンドル頭部の外側輪郭は、ハンドル頭部の先端からハンドル頭部とハンドル本体との間の手の側における境界まで実質的に半円状又は弓状に延在する。
【００２３】
ロックモジュールがハンドル本体の空洞内に配置された軸方向渦巻きばねを有し、緊急解除のために下方に事前に張力がかけられ、その張力は、好ましくは調節ナットによって調節することができる場合、特に有利である。
【００２４】
掛止手段は、好ましくは、フック状デバイスの開口の方向における正常な使用時の力を超える応力が生じた場合に、ストラップ形状、リング形状、又は鳩目形状のデバイスの緊急解放が実施されるように実現される。
【００２５】
掛止手段は好ましくは、保持突起の形態で実現され、保持突起は、好ましくは、挿入方向上方に傾斜した側面を有し、フック状デバイスに対して張力がかけられる位置においては、力に対して制限される、好ましくは調節可能であるストラップ形状、リング形状、又は鳩目形状のデバイスのための掛止領域を下方に画定する。特に好ましい実施形態によると、保持突起は、好ましくは、ばね荷重掛止ピンに一体的に接続されるか、又はその一部を成す。
【００２６】
この場合、保持突起は、好ましくは、変位可能であるように取り付けられる。変位により、規定された、好ましくは調節可能な力に対して制限された掛止領域の上方への解放が行われ、好ましくは、力は、ばね又は弾性要素によって確保される。保持突起は、好ましくは、渦巻きばね、又はこれに代えて、エラストマーばね若しくはねじりばねを用いて、掛止領域を閉鎖する変位位置まで張力がかけられる。当該張力は、安全な解放が５０〜２５０Ｎを超える力でのみ行われるように調節可能である。当該設計は、その結果、ロックモジュール全体のための調節可能な緊急解放の利点を備える。解放力は、例えば、ロックモジュールがハンドル頭部から取り外され、調節ナットが対応するツールを使用して必要条件に対応するように調節されることによって、非常に簡単な方法で調節することができる。渦巻きばねを使用した結果、当該安全な解放は、最も多様な温度条件下でも保証され、加えて、渦巻きばねは、ポールハンドルの内部において、汚染、着氷等が防止できるように十分に隠蔽される。
【００２７】
さらなる好ましい実施形態によると、ロックモジュールは、フック状デバイスが配置された固定要素と、掛止手段が配置され、アンカー要素によってポールハンドルの長手軸の方向下方にハンドル本体に取り付けられた掛止ブロックとを備える。当該ロックモジュールは、好ましくは、自動ロックの解放のために実現される回転可能な及び／又は傾斜可能な作動要素をさらに備える。掛止ブロック及び作動要素は、固定要素によって周りが係合され、かつ／又は少なくとも部分的に固定要素に受容される。
【００２８】
本発明の特に有利な実施形態は、請求項１〜７のいずれかに記載の手保持デバイスを有する請求項８〜１４のいずれかに記載のポールハンドル、又は請求項８〜１４のいずれかに記載のポールハンドルを有するポール、特に、スキーポール、ノルディックウォーキングポール、クロスカントリーポール、若しくはハイキングポールを含み、請求項１〜７のいずれかに記載の手保持デバイスは、ポールハンドルに締着されるか又は締着可能である。
【００２９】
当該モジュール設計の実質的な利点は、ユニット全体として製造されるロックモジュールの簡略化された取り付けである。ロックモジュールのモジュール設計の結果、ロックモジュールは、個々のアセンブリとして製造可能であり、ハンドル頭部又はハンドル本体に挿入可能である。加えて、ロックモジュールがハンドル頭部の凹みに受容された結果として、保持マンドレル又はフック状デバイスはポールハンドルの外側輪郭に最適なように埋め込まれるため、邪魔だと感じられない。
【００３０】
さらなる例示的実施形態は従属クレームに記述される。
【図面の簡単な説明】
【００３１】
本発明の好ましい実施形態は、純粋に説明に役立ち、限定としてみなされるべきではない図面により以下に記述される。
【００３２】
【図１】図１は、本発明によるポールハンドルの略図の２つの斜視図を示す。
【図２】図２は、ハンドル頭部からロックモジュールが外された図１ａの略図の斜視図を示す。
【図３】図３は、好ましい実施形態によるロックモジュールの概略図を示す。
【図４】図４は、好ましい実施形態によるロックモジュールを有するポールハンドルの分解図を示す。
【図５】図５は、本発明の好ましい実施形態による手保持デバイスの略図の斜視図を示す。
【図６】図６は、図５の手保持デバイスの略図の上面図を示す。
【図７】図７は、ポールハンドルに連結された、図５によるハンドストラップを有するポールハンドルを使用者の手が握っている略図を示す。
【図８】図８は、ポールハンドルに連結された、図５によるハンドストラップを着けた使用者の手の略図を示し、使用者の手は、ポールハンドルを握る位置に入っているか又は解放している。
【図９】図９は、ポールハンドルに連結された、図５によるハンドストラップを着けた使用者の手の略図を示し、使用者の手は、ポールハンドルを上部から握る位置を示している（第１のストリップの形態が見えるように親指は伸ばされている）。
【発明を実施するための形態】
【００３３】
図１ａ）及び図１ｂ）は、本発明の第１の例示的実施形態によるポールハンドルの略図を示す。
【００３４】
図示されるポールハンドル１は、長手軸５６と、走行方向又は運動方向Ｂを向く前側ポールハンドル領域３ａ及び走行方向とは反対側を向く後側ポールハンドル領域３ｂを有するハンドル本体３とを備える。ポールハンドル１又はそのハンドル本体３は、ポールハンドル長手軸５６（図中には示されない）に沿って又はこれと実質的に平行に配置され、内部に例えばアルミニウム又は炭素繊維若しくはガラス繊維チューブから形成されたポールが挿入及び締着できる中央凹み又は空洞５を下に有する。図１に示すポールハンドルは、下方から内部に挿入されるポールチューブなしで示される。
【００３５】
ポールハンドル１は、ハンドル本体３の上部につながるアーチ形ハンドル頭部２をさらに備える。ハンドル頭部２は、先端６５を有するハンドルノーズを備えるか、又は前側ポールハンドル領域３ａにおいてハンドル本体の上部領域内に肩がないように実質的に合流するハンドルノーズにより部分的に形成される。前側ポールハンドル領域３ａにあるハンドル突起は、走行方向Ｂにおいてハンドル本体領域を越えて突出する突出部で実現される。ハンドル頭部２は凹み４を有し、凹み４は、上方に、かつ使用者の手に向けて又は手の側Ｈに向けて開口しており、中にロックモジュール６が配置されている。ロックモジュール６は図３に詳細に図示され、その個々の部品は図４に示される。ロックモジュール６全体は、ポールハンドル１の上方に開口した凹み４内に保持される。図示される好ましい例示的実施形態によるロックモジュール６は、実質的に４つの主要要素、すなわち、アンカー要素５７を有する掛止ブロック２０、作動要素９、及び固定要素１５を有する。
【００３６】
ロックモジュール６が挿入される穴５８を有する支持表面６３が、ハンドル頭部２からハンドル本体３への移行領域に配置されることが図４で見て取れる。ロックモジュールは、結果として、アンカー要素５７によってハンドル本体３に保持される。穴は、ハンドル頭部２の空洞又は凹み４をハンドル本体３の上述の空洞につなぐ貫通穴５８として実現することができ、これは、ポールチューブを下方から受容するのに適している。
【００３７】
図示される好ましい例示的実施形態では、掛止ブロック２０、アンカー要素５７、及び作動要素９は、すべて固定要素１５によって保持される。固定要素１５はシェル形状になるような領域で実現される。固定要素１５は、シェル形状を成す第１の脚部７及び第２の脚部８、ならびに保持マンドレルとして実現される、固定要素１５の脚部７、８をフック状デバイス１４につなげるベルト１３を備える。この場合、２つの脚部７、８は、掛止ブロック２０の２つの側壁２０ａ、２０ｂを囲む。当該例示的実施形態における保持マンドレル１４は、固定要素１５のシェル形状領域に一体的に接続されている。固定要素１５の底部表面は、ハンドル頭部２とハンドル本体３との間の移行領域において、支持表面６３における固定要素１５又はロックモジュール６全体の支持に役立つ底部６４を形成する。
【００３８】
穴５８を通ってハンドル本体３の空洞内に突出する保持ピン３１は、軸５６上でロックモジュール６に取り付けられる。保持ピン３１は、軸３３でのロックモジュール６への回転可能な締着のために、上側に鳩目３２を有する。アンカー要素５７を掛止ブロック２０に締着するために、その鳩目３２を有するアンカー要素５７は、掛止ブロック２０の凹み６０に下方から導入される。掛止ブロック２０には、掛止ブロック２０の底部領域において２つの小さな脚部が側部に配置されている。当該脚部は、軸３３に沿ってピン３４を受容するのに好適なそれぞれ１つの貫通穴６１ｂと、アンカー要素５７を締着し、掛止ブロック２０の脚部のそれぞれの穴６１を貫通するためのピン３４と、その間にあるアンカー要素５７の鳩目３２とを備える。
【００３９】
その底端部において、保持ピン３１にはネジ山が設けられている。保持ピン３１、又はむしろ掛止ブロック２０により保持ピン３１に締着されたロックモジュール６全体は、停止要素２９によって下方に張力がかけられている。停止要素２９は、保持ピン３１のねじ山に下方から嵌められた調節ナット３０を用いて渦巻きばね２８により、空洞の上部カバーに、又は支持表面６３の底部表面に当接する。渦巻きばね２８は、一端では、対応するように設けられた肩部において上部停止要素２９によって下方から支えられ、他端では、底部停止要素４０によって上方から支えられる。
【００４０】
例えば、ストラップ形状／リング形状又は鳩目形状のデバイスの形態である、連結要素７９の自動掛止に役立つ掛止ピン１０は、ロックモジュール６に、又はロックモジュール６の一部を形成する掛止ブロック２０に配置される。掛止ピン１０は、長手軸５６に対して実質的に水平方向に配置される。掛止ピン１０は、軸８８に沿って変位可能であるように、特にこの目的のために設けられたロックモジュール６の凹み又は穴５４内に取り付けられる。掛止ピン１０は、渦巻きばね３５によって保持マンドレル１４に対して張力がかけられる。掛止ピン１０は、保持突起１１を有する。保持突起１１は、好ましくは、上方から傾斜しており、底部では実質的に水平方向に実現されているため、例えば、上方から挿入されたストラップ形状／リング形状又は鳩目形状のデバイス７９は、渦巻きばね３５のばね張力に抗して掛止ピン１０を後方へ変位させ、ストラップ形状／リング形状又は鳩目形状のデバイス７９は、掛止領域５９の掛止ピン１０の下に係留される。掛止ピン１０は、ピン軸８８に対して水平方向に延在し、掛止ピン１０を掛止ブロック２０の内部における長孔４１内にガイドするために、クロスピン／ガイドピン３９が通って挿入される（貫通）穴６２を備える。
【００４１】
ロックモジュール６は、解放ボタン３７を上部表面６８に有する作動要素９を有する。本例示的実施形態において、当該解放ボタン３７は、作動要素９に、又はその羽根部９ａ、９ｂに一体的につながっている。掛止ブロック２０又はその側壁２０ａ、２０ｂは、上方及び後方から、すなわち、保持マンドレル１４から見たときに、作動要素９の２つの羽根部９ａ、９ｂによって取り囲まれている。後方に（保持マンドレル１４の方又は手の方）向けられ、掛止ピン１０用の凹み５４を備える掛止ブロック２０の部分は、この場合、作動要素９の凹み２７に下方から挿入される。凹み２７は、逆Ｕ字型になるような作動要素９の羽根部９ａ、９ｂの実現の結果として実現される。掛止ブロック２０は、長手軸５６に対して水平な方向で測定したときにその幅が貫通穴２６の長さよりも大きい上部肩部２１をさらに備える。当該肩部２１は、作動要素９の背部８９の上に置かれる。当該設計の大きな利点は、作動要素９の突出部すなわち羽根部９ａ、９ｂは、所望の解放の作動に理想的な方法で配置されるが、望ましくない解放は完全に回避することができることである。
【００４２】
保持マンドレル１４に押し込まれたストラップ形状／リング形状又は鳩目形状のデバイス７９が通常の状態で掛止領域５９から解放される場合、解放ボタン３７が、ロックモジュール６の上部表面６８に、又は作動要素９にこの目的で設けられる。回転軸３８は、ロックモジュール６の掛止ピン１０の方向に対して水平に、かつ横切るように配置される。解放ボタン３７を形成する作動要素９は、当該回転軸３８を中心に（図１ａ及び図３では反時計回りに、図７及び図８では時計回りに）傾斜可能なようにロックモジュール６内に設置される。加えて、ガイドピン３９はさらに、掛止ピン１０を横切るように、かつ掛止ピン１０の穴６２に水平に配置される。当該ガイドピン３９はさらに、作動要素９に設置される。この目的を達成するために、作動要素９の羽根部９ａ、９ｂは、それぞれガイドピン３９が係合する１つの長孔５１ａ、５１ｂを備える。
【００４３】
作動要素９が静止位置にある状態では、ガイドピン３９は、それぞれの長孔５１ａ、５１ｂの一番下の端部に載っており、走行方向Ｂへの作動要素９の回転運動Ｄ中は、ある角度で上方へと押される。この目的を達成するために、それぞれの長孔５１ａ、５１ｂは、掛止ブロック２０の長孔４１の方向に対して下方に角度が付くように構成された運動方向を含む。したがって、作動要素９の回転運動Ｄは、実質的に走行方向Ｂにおける軸８８に沿った掛止ピン１０の変位運動に変換される。本例示的実施形態では、横方向突出部又は羽根部９ａ、９ｂにより一体的に実現される解放ボタン３７が、例えば、ポールを握っている手の親指によって下方に押圧される場合、作動要素９は１つのユニットとしてわずかに下方に傾斜し、結果として、回転軸３８を中心に（図３の矢印の方向Ｄに）回転すると、渦巻きばね３５のばね力に抗するガイドピン３９によって掛止ピン１０が内部へと押され、結果として、掛止領域５９を上方へと解放し、その結果、その中に係留されているストラップ形状／リング形状若しくは鳩目形状のデバイス又は連結要素７９も解放する。
【００４４】
掛止ブロック２０は結果として、２つのピンによって、すなわち、一方では、ロックモジュール６の回転軸２４に沿って配置され、さらに同時に掛止ブロック２０及び作動要素９を固定要素１５の対応する脚部７、８に接続する軸方向ピン１９によって、第２に、内部から外部を見たときに、掛止ピン１０を掛止ブロック２０に、次いで、作動要素９に接続するガイドピン３９によって、作動要素９に保持される。
【００４５】
上部領域では、掛止ブロック２０は、ポールハンドル２の長手軸５６に対して水平に配置された貫通穴２６を備え、回転軸２４に沿って軸方向ピン１９を受容するのに適している。この場合、軸方向ピン１９は、内部から外部を見たときに、まず第一に掛止ブロック２０の当該穴２６、次いで、作動要素９の羽根部９ａ、９ｂの２つの穴４３ａ、４３ｂ、ならびに固定要素又は固定シェル１５のそれぞれの上述の脚部７、８のそれぞれの穴４２ａ、４２ｂを貫通する。その結果、作動要素９は掛止ブロック２０の回転軸３８を中心として回転する。作動要素９の回転運動の間、作動要素９及び掛止ピン１０ならびにその渦巻きばね３５のみがロックモジュール６内で動くが、掛止ブロック２０それ自体又は固定要素１５は動かない。ロックモジュール６がハンドル頭部２に挿入されると、掛止ブロック２０の貫通穴２６、締着要素９の穴４３ｂ、固定要素１５の穴４２ａ、４２ｂは、内部に挿入され、かつ締着要素９、掛止ブロック２０、及び固定要素１５をハンドル頭部２に接続する軸方向ピン１９と一緒に軸２４に沿って互いと同軸上に延在する。
【００４６】
ロックモジュール６をハンドル頭部２の凹み４内に挿入することによって、保持マンドレル１４はポールハンドル１の外側輪郭に最適なように埋め込まれる。それでもやはり、図７及び図８に示されるように、鳩目／ストラップ７９のための理想的な上方からの挿入開口部がある。作動要素９の輪郭はさらに、静止状態では、ハンドル頭部２の全体の曲率に、回転／傾斜運動中は、回転軸３８を中心に適合される。作動要素９は、ハンドル頭部２の上部表面６７と、手保持デバイス７０に向けられた手の側Ｈとの輪郭を成すように少なくとも部分的に広がっている。ハンドル頭部２の上部表面６７における作動要素９の上部表面６８は、静止位置において、さらに作動要素９の動作運動中においてもハンドル頭部２の外側輪郭にほぼ完全に統合されている。この場合、ハンドル頭部２の外側輪郭は、ハンドル頭部２の先端６５からハンドル頭部２とハンドル本体３との間の手の側における境界６９まで実質的に弓状に延在する。
【００４７】
加えて、ロックモジュール６は、さらなるクロス／締着ピン４５によってポールハンドル１の長手軸５６を横切る軸４４に沿ってハンドル頭部２に締着される。当該ピンは、ハンドル頭部の外側の穴４９ａ又は４９ｂを通って外側から凹み４内に、次いで、固定要素１５の脚部７又は８の穴４７ａ又は４７ｂを通って係合する。図４の本例示的実施形態において、クロスピン４５は、２つのピン部分４５ａ、４５ｂを有する２つの部品で示される。これの代替として、当該クロスピン４５は、１つの部品として実現され、かつハンドル頭部の一方の外部表面から固定要素１５の脚部７、８を通り、凹み４を通って再びハンドル頭部の他方の外部表面まで延在してもよい。上記の場合には、クロスピン４５は、固定要素内に挿入される掛止ブロック２０の底部表面の下の固定要素１５のシェル形状領域へと、又は掛止ブロック２０の凹みへと延在する。ロックモジュール６がハンドル頭部２に挿入されると、ハンドル頭部２の穴４９ａ、４９ｂ及び固定要素１５の穴４７ａ、４７ｂは、内部に挿入され、かつ固定要素１５をハンドル頭部２に接続するクロスピン４５と一緒に軸４４に沿って相互に同軸上に延在する。
【００４８】
当該さらなるクロスピン４５の構成の利点は、回転軸３８を中心とした作動要素９の傾斜によりもたらされ、あらゆる場合に、特に転倒が起こった場合には、回転軸２４を中心としたロックモジュール６全体の回転によってももたらされるねじり力がより良く吸収されることである。
【００４９】
図１、図２、及び図４に示される例示的実施形態によるポールハンドル１は、別個の構成要素としてハンドル頭部２に締着できるカバー１２をさらに備える。カバー１２の先端６５へ向かってテーパする領域における輪郭は、ハンドル頭部２のポールハンドル前側３ａを向く部分の輪郭に実質的に対応する。それぞれベルトによりカバー１２に一体成形された２つの脚部（図示せず）は、カバー１２の後部領域に配置される。ハンドル頭部２に取り付けられた状態において、脚部はポールハンドル長手軸５６と平行にハンドル頭部２内に、ハンドル頭部２の凹み４内に、又は凹み内部の境界を定める内壁とハンドル頭部２の外壁との間に突出する。各脚部は、凹みを備え、この凹みを通って締着ピン４６が、ポールハンドル１の長手軸５６を横切る軸３８に沿って挿入可能であり、当該ピンは、ハンドル頭部２にカバー６を締着し、同時にロックモジュール６の締着に役立つ。ロックモジュール６がハンドル頭部２に挿入されると、ハンドル頭部２の穴５０ａ、５０ｂ、固定要素１５の穴４８ａ、４８ｂは、掛止ブロック２０の貫通穴５３、及び締着要素９の穴５２ｂは、内部に挿入され、かつ締着要素９、掛止ブロック２０、及び固定要素１５をハンドル頭部２に接続する締着ピン４６と一緒に軸３８に沿って相互に同軸上に延在する。
【００５０】
図示される例示的実施形態において、嵌合状態では前側ハンドル頭部の縁からカバー６の中空領域内に突出し、そこでカバー６の内表面の凹み又は下部切り込み部分に掛止する掛止突起（図示せず）は、ハンドル頭部２の前方にテーパする領域に配置される。図示される例示的実施形態において、カバー６の内表面は、いくつかの支柱（図示せず）を備える。作動要素９の解放ボタン３７の切り抜き部２５は、カバー６の後部部分に配置され、これは、取り付けられた状態では、後側ポールハンドル領域３ｂを向く、すなわち、走行方向Ｂとは反対の方向Ｈを指す。
【００５１】
完全なユニットとして製造されたロックモジュール６を取り付けるために、ロックモジュール６は上方からポールハンドル１の凹み４内に挿入することができ、ロックモジュール６に設けられたアンカー要素５７は、凹み４とハンドル本体３におけるポールチューブ用の空洞５との間の貫通穴５８内に挿入される。保持ピン３１については、アンカー要素は、上部停止要素２９と、保持ピン３１に押し込まれる渦巻きばね２８と、保持ピン３１のねじ山に下方からねじ込まれる底部停止要素４０と、調節ナット３０とを備える。渦巻きばね２８によりロックモジュール６に作用する下方ばね弾性保持力は、調節ナット３０が多く又は少なく上にねじ込まれることにより調節できる。最終的に、締着ピン４６を、軸３８に沿って、穴５０ｂ、５０ｃを通してハンドル頭部２に横方向に押し込むことができる。
【００５２】
外側から内側を（ハンドル頭部の両側から）見た場合、締着ピン４６はハンドル本体２の穴５０ａ又は５０ｂ、ならびに固定要素１５の脚部７又は８の穴４８ａ又は４８ｂ、次いで、作動要素９の羽根部９ａ、９ｂの２つの穴５２ｂ、その後、掛止ブロック２０の穴５３を貫通する。
【００５３】
ハンドル頭部２の穴５０ａ、５０ｂと固定要素１５の穴４８ａ、４８ｂとの間には、特に好ましい例示的実施形態によると、締着ピン４６はさらに、ハンドル頭部の各側面に、カバー１２の脚部の穴／凹みを貫通する（脚部は図４では見えないが、これは脚部が凹み４内部の境界を定めるハンドル頭部２の内壁とハンドル頭部２の外側壁との間のポールハンドル１の長手軸５６に沿って延在しているからである）。
【００５４】
その結果、締着ピン４６は、ハンドル頭部２にロックモジュール６を締着し、カバー１２を締着するのに同時に役立つ。
【００５５】
当該設計により製造されたロックモジュール６全体の調節可能な緊急解放は以下のように機能する。過度の力（例えば、転倒の場合）が下方から、すなわち、ストラップ形状／リング形状又は鳩目形状のデバイス７９によって保持突起１１に加えられた場合、ロックモジュール６全体が回転軸２４を中心に回転する（図１ａ又は図３では時計回り、図７、図８では反時計回りで表示）。これは、掛止領域５９が解放されるか、又はストラップ形状／リング形状又は鳩目形状のデバイス７９の形態の連結要素が保持マンドレル１４から解放されるまで続く。
【００５６】
図５及び図６は、上述したような図１〜図４によるポールハンドル１に締着するために締着することができるハンドストラップの形態の手保持デバイス７０を示す。手保持デバイス７０は、手保持デバイスにおいて、ポール使用中に発生する力が手に十分に分配されるように締着されるべきである。この目的を達成するために、ハンドストラップが手又は手首の周りに緩やかに配置されるだけでなく、手にしっかりとつながれることが必要とされる。この場合、グローブの上に、又は素手の上に装着され、ストラップ形状／リング形状又は鳩目形状のデバイス７９を有するハンドストラップを手保持デバイス７０として考えることが可能である。
【００５７】
図示される例示的実施形態によるハンドストラップ７０は、手のための挿入開口部７１、手の甲のための第１の出口開口部７２、及び親指のための第２の出口開口部７３を備える。
【００５８】
ハンドストラップ７０は、第１のストリップ７４により少なくとも間接的にポールのポールハンドル１に締着される。第１のストリップ７４は、親指と他の指との間にガイドされる。
【００５９】
図７及び図８に示されるポールハンドル１の頭部領域は、この頭部領域が、ハンドル本体２のスロットによって、又は図１〜図４に係る本発明によるポールハンドルの場合、掛止領域５９を形成することによって、ポールハンドル１のロックモジュール６の一部を成す保持マンドレル１４を備えるように形成される。当該掛止領域５９に挿入されるハンドストラップ７０のストラップ形状／リング形状又は鳩目形状のデバイス７９は、掛止領域５９の保持マンドレル１４に自動ロック式で固定することができ、解放ボタン３７を作動させることによって掛止領域５９から再び外すことができる。
【００６０】
図５〜図９の本例示的実施形態においてハンドストラップ７０として実現される実際の手保持デバイス７０は、使用者の手に固定し、締着することができる。この目的を達成するために、ハンドストラップは、３つの開口部、すなわち、手を挿入するためのハンドストラップの挿入開口部７１、手の甲のための第１の出口開口部７２、及び、概して最小の出口開口部として展開される第２の親指開口部７３を備える。図５において、ハンドストラップの親指用の第２の出口開口部７３は、観察者の方を向き、手の甲のための第１の出口開口部７２は、観察者から離れている。その結果、図示されるハンドストラップは、右手用のハンドストラップである。したがって、ハンドストラップは、手の外面の側における領域７６から構成されるストリップ状領域を有する。領域７６は親指と指との間の手の甲に配置され、親指と指との間のストリップ７５に一体となるように合流し、次いで、手の内表面に来る手の内面の側にある領域７７に合流する。当該領域７５、７６、及び７７は、その内表面に織物又はエラストマーフォーム材料挿入物を有して好ましいように設けられる、すなわち、織物層は、大半の場合、非弾性であり、例えば、織布状プラスチック材料からなることができる実際の支持材料を用いて縫い付けられるか又は結合される。
【００６１】
すると、当該ストリップは、少なくとも１つ可変接続領域を有する。この可変領域は、手の甲のための出口開口部７２と手のための挿入開口部７１との間の領域である。当該領域において、第１のベルクロストリップ８２は、調節のため、又はンドストラップを手に締着するために設けられる。本例示的実施形態において、当該ベルクロストリップは、２つの相補的なベルクロ領域が取り付けられる外部表面のベルトである。２つの相補的なベルクロ領域とは、端部領域における第１のベルクロ領域、及び当該第１のベルクロ領域８２がハンドストラップに縫い付けられる領域において相補的な種類の第２のベルクロ領域である。締着ストリップ８２の自由端部は貫通スターラップ８４を通ってガイドされる。締着されていない状態における当該締着ストリップ８２の結んでない端部は通常、例えば、ベルトのヘム折り返しにより実現可能な保持補助部８２ａを有する。当該保持補助部はさらに、締着ストリップ８２が貫通スターラップ８４を通って不意に摺動することを大方防ぐ目的に役立つ。締着ストリップ８２は、ハンドストラップを手に締着するために、第１のベルクロ領域が第２のベルクロ領域に来るように当該貫通スターラップ８４の周りに配置することができ、したがって、これは、手のサイズに応じて、また使用者がグローブを装着しているかどうかに応じて、領域８５と領域８６と（ハンドストラップの２つの端部）の間の距離を、固定が持続するように調節することができる。
【００６２】
本発明による手保持デバイスにおいて、ストラップ形状／リング形状又は鳩目形状のデバイスとして実現される連結デバイス７９は、手保持デバイスをポールハンドルに締着するために、第１のストリップ７４に締着される。当該第１のストリップ７４は、第２のストリップ７５に重なり合い、上述のように、第２のストリップ７５は親指と他の指との間にガイドされ、本例示的実施形態においては、手の外面の側で領域７６に、及び手保持デバイス７０の手の内面の側では領域７７に一体的に接続される。当該第１のストリップ７４は、部分的に弾性であるように実現される。図５に示される例示的実施形態において、当該第１のストリップ７４は、連結デバイス７９と、手の外面の側で手保持デバイス７０の領域７６における第１のストリップ７４の締着部６６との間にある領域７４ａ、７４ｃにおいて、部分的に弾性バンドとして展開される。この場合、弾性バンドは、手の外面の側の連結要素７９に最も近い領域７４ｃにおいてはベルト部分により補強される。第１のストリップは、手の内面の側におけるハンドストラップ７０の領域７７ではベルトとして実現される。ベルトは手の内面の側の領域７７において手保持デバイスに縫い付けられ、次いで、親指と指との間にガイドされた第２のストリップ７５に第１のストリップ７４が重なり合い、弾性バンドと重なり合うまで、連結要素７９を超えて第２のストリップ７５からは離間されている領域に延びる。そこで、ベルトは、重なり合った領域又は補強領域７４ｃにおいて弾性バンドに縫い付けられる。本例示的実施形態において、ベルトは、連結要素７９の領域においてベルト部分がストラップ形状／リング形状又は鳩目形状のデバイス７９を通って延び、その上部表面で弾性バンドと重なり合うように、二重にさえされるのに対し、第２のベルト部分は、手の内面の側の領域７７において第１のベルト部分の下に縫い付けられ、ストラップ形状／リング形状又は鳩目形状のデバイス７９の下を通って連結要素７９の領域に延び、その底部側で弾性バンドと重なり合う。本例示的実施形態において、第１のストリップ７４の補強領域は、結果的に３つの層を有して実現され、弾性バンドは、２つのベルト部分との間にあり、３つの層は一緒に縫い付けられる。ストラップ形状／リング形状又は鳩目形状のデバイス７９は、２つのベルト層間に保持され、本実施例では縫い付けられ、ストラップ形状／リング形状又は鳩目形状のデバイス７９は特定の固有の剛性を備え、したがって、第１のストリップ７４から離れている。手の外面の側における領域では、第１のストリップ７４は、第２のストリップ７５とは別個に、又は第２のストリップ７５から距離を置いて延びるため、空間７８を形成する。第２のストリップ７５が手の外面の側において領域７６と一体的に合流する移行領域においては、手の外面の側における当該領域７６は、複数の層を有して実現され、上層はプラスチック材料から、好ましくは、プラスチック材料のメッシュ又はプラスチック材料の織布から形成される。当該移行領域では、当該上層、すなわちハンドストラップの表面層は、スロット８１又は挿入開口部を備え、これを通って当該領域において弾性バンドとして実現される第１のストリップ７４が進入でき、手保持デバイス７０の２つの材料層間の手の外面の側の端部（図では見えない）まで延在する。すると、手の外面の側における第１のストリップ７４の端部の締着部６６は、好ましくは、縫い付けの結果として行われる。その結果、第１のストリップの弾性領域７４ａは、外部から自由にアクセス可能な部分７４ａと、手の外面の側で手保持デバイス７０の領域７６の２つの材料層間に延びるトンネル状部分（図５では見えない）とを備える。
【００６３】
第１のストリップ７４の弾性部分７４ａの長さをできるだけ長く維持するために、手の外面の側における第１のストリップ７４の端部の締着部６６は、手のための挿入開口部７１にできるだけ近づけて取り付けられるべきである。結果として、縫い付けにより締着される場合のシームは、貫通スターラップ８４の近くにあるべきである。本例示的実施形態において、締着部は、手の側Ｈにおける手のための挿入開口部７１でのハンドストラップ７０の縁部から測って、手のための挿入開口部７１からおよそ１．５〜２．５ｃｍの距離ｄを置いて配置される。
【００６４】
手の外面の側における手保持デバイス７０の領域７６を手の内面の側における領域７７と接続する第２のストリップ７５は、実質的に非弾性であるように、又は手保持デバイスのために選択された材料それ自体が弾性である場合にのみ弾性であるように実現される。あらゆる場合において、第２のストリップ７５は、例えば、ベルトストリップへの、好ましくは、第１のストリップの方を向いたその上部表面への縫い付けにより、補強されるように実現される。
【００６５】
本実施例では、第１のストリップ７４は、手の外面の側における領域７６でのみ、すなわち、ポールハンドル１にハンドストラップ７０が締着された、又は連結要素７９が配置された場合に締着領域８７までのみ弾性であるように実現される。しかしながら、第１のストリップは、さらに手の内面の側におけるハンドストラップ７０の領域７７でも弾性であるように実現されてもよい。
【００６６】
本例示的実施形態において、手保持デバイス７０は、その３つの開口部７１、７２、７３において補強縁部８０によって補強されるように実現される。これは、装着時の快適性を増大させ、又はンドストラップが装着されていない状態でも特定の固有の剛性を有し、つぶれないことにより、手の挿入をより簡単にするようにハンドストラップの寸法安定性に寄与する。本例示的実施形態において、その結果、補強縁部は開口部との境界におけるハンドストラップの縁部領域で折り重ねられ、かつ／又はハンドストラップの材料で当該領域に結合された織物又はベルトストリップである。結果として、ハンドストラップはできるだけ快適であるように手に当たる。しかしながら、補強縁部は、必ずしも別個のストリップ材料又はバンド材料からなる必要はないが、ハンドストラップを形成する材料ストリップの縁部領域からある範囲までのシーム又は接合によって形成することができる。
【００６７】
図９は、本発明によるポールハンドル１と、使用者の右手に装着されたハンドストラップ７０にポールハンドル１がどのように連結されているかを示す。使用者の手は、握る位置又は周りを包み込む位置に配置されている。この場合、使用者の手の親指は、単に第１のストリップ７４の展開を可視化するために上げて示されている。この場合、弾性バンドは、手の外面の側のハンドストラップ７０の領域７６においてスロット８１から現れる第１のストリップ７４がどのように伸びているかを見て取ることができ、弾性領域７４ａは連結要素７９まで延びている。この場合、連結要素７９の近くに配置された弾性領域７４ａの部分７４ｃは、補強されるように、又は特定の場合には非弾性ベルトが上に縫い付けられ、下に縫い付けられている弾性バンドとして、実現される。手の内面の側の領域７７を向く第１のストリップの部分７４ｂは、連結要素７９からは非弾性であるように、特定の場合には、二重ベルトを有して実現される。当該ベルトは、連結要素７９付近の弾性バンドを補強する同一のものである。連結要素７９から手の内面の側におけるハンドストラップ７０の領域７７において第１のストリップ７４の締着まで延在する当該非弾性領域は、図９に示す周りを包み込まれた状態で開かれて、ポールハンドル１の掛止領域５９に連結要素７９が固定された位置にある場合の弾性領域７４ａの伸びにより、非弾性領域７４ｂがハンドストラップから離れるように湾曲するとき、ストラップを形成する。この場合、親指と他の指との間にガイドされる第２のストリップ７５と、第１のストリップ７４の非弾性領域７４ｂとの間に空間９０が作り出される。
【符号の説明】
【００６８】
１  ポールハンドル
２  ハンドル頭部
３  ハンドル本体
３ａ  前側ハンドル本体領域
３ｂ  後側ハンドル本体領域
４  ２の凹み
５  ポールチューブ用の３の空洞
６  ロックモジュール
７  １５の第１の脚部
８  １５の第２の脚部
９  作動要素
９ａ  ９の第１の羽根部
９ｂ  ９の第２の羽根部
１０  掛止ピン
１１  １０における保持突起
１２  カバー
１３  １５のベルト
１４  フック状デバイス、保持マンドレル
１５  固定要素、固定シェル
１６  １５の凹み
１９  ２４に沿った２０の軸方向ピン
２０  掛止ブロック
２０ｂ  ２０の第２の側壁
２１  ２０の上部肩部
２４  ９の回転軸
２６  ２４のための２０の穴
２８  軸方向渦巻きばね
２９  上部停止要素
３０  調節要素
３１  保持ピン
３２  ３１の鳩目
３３  ３２を通る軸
３４  ３２を通るピン
３５  ５４における１０のための渦巻きばね
３７  解放ボタン
３８  ４６の軸
３９  １０のためのガイドピン
４０  底部停止要素
４１  １０をガイドするための２０の長孔
４２ａ  １９のための７の穴
４２ｂ  １９のための８の穴
４３ｂ  １９のための９の穴
４４  ４５の軸
４５  クロスピン
４５ａ  ４５のピン部分１
４５ｂ  ４５のピン部分２
４６  締着ピン
４７ａ  ４５のための７の穴
４７ｂ  ４５のための８の穴
４８ａ  ４６のための７の穴
４８ｂ  ４６のための８の穴
４９ａ  ４５のための２の第１の穴
４９ｂ  ４５のための２の第２の穴
５０ａ  ４６のための２の第１の穴
５０ｂ  ４６のための２の第２の穴
５１ａ  １０をガイドするための９ａの長孔
５１ｂ  １０をガイドするための９ｂの長孔
５２ｂ  ４６のための９ｂの穴
５３  ４６のための２０の穴
５４  ３５のための２０の穴
５５  ６８における突起
５６  １の長手軸
５７  ３における６のアンカー要素
５８  ３１のための貫通穴
５９  ７９のための１４における掛止領域
６０  ３２のための２０の凹み
６１ｂ  ３４のための２０の穴
６２  ３９のための１０の穴
６３  ６４のための４の支持表面
６４  １５の底部
６５  ２の先端
６６  ７６における７４の締着部／シーム
６７  ２の上部表面
６８  ９の上部表面
６９  ２と３との境界
７０  手保持デバイス、ハンドストラップ
７１  手のための挿入開口部
７２  手の甲のための７０の第１の出口開口部
７３  親指のための７０の第２の出口開口部
７４  ７０の第１のストリップ
７４ａ  ７４の弾性領域
７４ｂ  ７４の非弾性領域
７４ｃ  ７４の補強領域
７５  ７０の第２のストリップ
７６  手の外面の側における７０の領域
７７  手の内面の側における７０の領域
７８  ７４と７５との間の空間
７９  ストラップ形状／リング形状／鳩目形状のデバイス／連結要素
８０  補強縁部
８１  ７４のための７０のスロット
８２  可変であるように固定可能な締着デバイス
８２ａ  ８２における保持補助部
８３  ７０における８２のための貫通開口部
８４  ８３の貫通スターラップ
８５  ７０の第１の端部
８６  ７０の第２の端部
８７  １における７０の締着領域
８８  １０の軸
８９  ９の後部
９０  ７４ｂと７５との間の空間
Ｂ  運動方向又は走行方向／前方への
ｄ  ６６から７１までの距離
Ｄ  掛止作用を解放する回転の方向
Ｈ  手の側／後方に向いた
【図１ａ）】
2017537231.tif 000003
【図１ｂ）】
2017537231.tif 000004
【図２】
2017537231.tif 000005
【図３】
2017537231.tif 000006
【図４】
2017537231.tif 000007
【図５】
2017537231.tif 000008
【図６】
2017537231.tif 000009
【図７】
2017537231.tif 000010
【図８】
2017537231.tif 000011
【図９】
2017537231.tif 000012
【国際調査報告】
2017537231.tif 000013
2017537231.tif 000014
2017537231.tif 000015
2017537231.tif 000016